(57)【要約】【課題】携帯端末のテレビ番組視聴アプリケーションを起動させてデジタル放送の番組を視聴する際に、手間や時間を要することなく所望の放送局を即時かつ自動的に選局できる、使い勝手に優れたデジタル放送受信端末を提供する。【解決手段】デジタル放送受信端末１００は、デジタル放送を受信するデジタル放送受信手段１１と、外部のデジタル放送受信機器を遠隔制御する遠隔制御手段１２と、遠隔制御手段で最後に選局された放送局を特定する情報を記憶する放送局情報記憶手段１５と、ユーザからの入力を受け付ける入力手段１６と、入力手段への入力に基づいて、自端末にてデジタル放送の再生を開始する際に、放送局情報記憶手段に記憶された情報により特定される、遠隔制御手段で最後に選局された放送局と同一の放送局を選局して再生するようにデジタル放送受信手段を制御する制御手段１９と、を具えている。【選択図】図４
2008252371.tif 000002
【特許請求の範囲】
【請求項１】
デジタル放送を受信するデジタル放送受信手段と、
外部のデジタル放送受信機器を遠隔制御する遠隔制御手段と、
前記遠隔制御手段で最後に選局された放送局を特定する情報を記憶する放送局情報記憶手段と、
前記デジタル放送の受信を開始する際に、前記放送情報記憶手段に記憶されている情報により特定される放送局と同一の放送局を選局するように前記デジタル放送受信手段を制御する制御手段と、
を具えることを特徴とする、デジタル放送受信端末。
【請求項２】
少なくとも放送番組の開始時刻、終了時刻、および放送局を特定する情報を含む、デジタル放送の番組情報を記憶する番組情報記憶手段と、
前記遠隔制御手段が前記外部のデジタル放送受信機器に放送の受信を終了するよう指示した時刻、または前記遠隔制御手段による遠隔制御の機能を終了した時刻を記憶する時刻記憶手段と、をさらに有し、
前記制御手段は、前記番組情報を参照して、前記時刻記憶手段に記憶された時刻で特定される、前記放送局情報記憶手段に記憶された放送局の番組の終了時刻を過ぎていた場合、前記デジタル放送の受信開始時に、最後に受信していた番組の放送局を選局するように前記デジタル放送受信手段を制御することを特徴とする、請求項１に記載のデジタル放送受信端末。
【請求項３】
前記時刻記憶手段は、前記遠隔制御手段が前記外部のデジタル放送受信機器を遠隔制御する機能を終了した第１の時刻と、前記デジタル放送受信手段がデジタル放送を受信する機能を終了した第２の時刻とをさらに記憶し、
前記制御手段は、前記デジタル放送の受信を開始する際に、前記時刻記憶手段に記憶された前記第１の時刻と前記第２の時刻とを比較して、前記第１の時刻の方が現在に近い場合には、前記放送局情報記憶手段に記憶された情報により特定される放送局を選局し、それ以外の場合には、最後に受信していたデジタル放送の番組の放送局を選局するように前記デジタル放送受信手段を制御することを特徴とする、請求項１または２に記載のデジタル放送受信端末。
【請求項４】
デジタル放送を受信するデジタル放送受信手段と、
外部のデジタル放送受信機器を遠隔制御する遠隔制御手段と、
前記遠隔制御手段で最後に選局された放送局を特定する情報を記憶する放送局情報記憶手段と、
ユーザからの入力を受け付ける入力手段と、
前記デジタル放送を記録する放送記録手段と、を有し、
前記入力手段による入力に基づいて、前記遠隔制御手段が前記外部のデジタル放送受信機器に放送の受信を終了するよう指示した時点、または前記遠隔制御手段による遠隔制御の機能を終了させた時点から、前記放送局情報記憶手段に記憶された情報により特定される放送局を選局して、前記デジタル放送を前記放送記録手段に記録するように前記デジタル放送受信手段および前記放送記録手段を制御する制御手段と、
を具えることを特徴とする、デジタル放送受信端末。
【請求項５】
前記制御手段は、前記入力手段による入力に基づいて、前記放送記録手段への前記デジタル放送の記録中に前記デジタル放送の再生を開始した場合、前記デジタル放送を前記放送記録手段に記録しつつ、同時に、該放送記録手段に記録済みの前記デジタル放送を再生するように前記デジタル放送受信手段および前記放送記録手段を制御することを特徴とする、請求項４に記載のデジタル放送受信端末。
【請求項６】
前記制御手段は、前記放送記録手段への前記デジタル放送の記録が開始されてから所定時間後に、当該記録を終了するように前記放送記録手段を制御することを特徴とする、請求項４または５に記載のデジタル放送受信端末。
【請求項７】
少なくとも放送番組の開始時刻、終了時刻、および放送局を特定する情報を含む、デジタル放送の番組情報を記憶する番組情報記憶手段と、
前記遠隔制御手段が前記外部のデジタル放送受信機器に放送の受信を終了するよう指示した時刻、または前記遠隔制御手段による遠隔制御の機能を終了した時刻を記憶する時刻記憶手段と、をさらに有し、
前記制御手段は、前記番組情報を参照して、前記時刻記憶手段に記憶された時刻で特定される、前記放送局情報記憶手段に記憶された放送局の番組の終了時刻に、当該デジタル放送の記録を終了するように前記放送記録手段を制御することを特徴とする、請求項４または５に記載のデジタル放送受信端末。
【発明の詳細な説明】
【技術分野】
【０００１】
本発明は、デジタル放送を受信可能な端末に関し、特に、遠隔操作によって他のテレビ放送受信機を遠隔制御することができ、かつ自端末でデジタルテレビ放送を受信して視聴することもできるデジタル放送受信端末に関する。
【背景技術】
【０００２】
例えば家庭用のテレビ放送受信機に対して、赤外線などの近距離無線通信を利用する遠隔制御（リモートコントロール）によって、放送局の選局や出力音声の音量調節などを行う技術は、現在、広く普及している。最近では、このような遠隔制御を行う機能を例えば携帯電話などの携帯端末に搭載させて、テレビ放送受信機の遠隔制御専用端末（リモートコントローラ）の代わりに、携帯電話などの携帯端末を用いて、テレビ放送受信機を遠隔制御する技術も知られている（例えば、特許文献１参照）。このような制御に必要なハードウェアおよびアプリケーションソフトウェアを搭載している携帯電話も数多く存在する。
【０００３】
一方、携帯端末にテレビ放送受信機の機能を内蔵したものも既に開発されており（例えば、特許文献２参照）、地上デジタルテレビ放送の携帯電話・移動体端末向けの１セグメント部分受信サービス（いわゆるワンセグ）による放送の開始を受け、今後は携帯端末にデジタルテレビ放送受信機の機能を搭載したものが飛躍的に普及するものと予想される。さらに、このように携帯端末によってデジタル放送を受信して視聴するのみならず、携帯端末が備えるフラッシュメモリなどの記憶手段により、デジタル放送を携帯端末内に記憶させたり、また、この記録したデジタル放送を携帯端末の表示部上で再生したりする録画再生機能を有する携帯端末も既に開示されている（例えば、特許文献３参照）。
【０００４】
上述した２つの機能、即ち、携帯端末によって他のテレビ放送受信機を遠隔制御する機能と、携帯端末に搭載したテレビ放送受信機の機能と、の両方を兼ね備える携帯端末も既に開発されている。このような携帯端末を用いれば、１つの携帯端末で、例えば家庭用の他のテレビ放送受信機がある場合にはそれを遠隔制御して大画面でテレビ視聴をし、かつ移動中のように他のテレビ放送受信機がない場合には自端末にてデジタル放送などによる番組を視聴することができる。
【特許文献１】特開平１１−３４１１７１号公報
【特許文献２】特開２００５−４５３５０号公報
【特許文献３】特開２００７−６０３６４号公報
【発明の開示】
【発明が解決しようとする課題】
【０００５】
ところで、携帯端末のテレビ番組視聴アプリケーションの起動時には、前回携帯端末でテレビ番組視聴アプリケーションを終了させたときに選局されていた放送局が自動的に選局されるのが一般的である。また、上述した２つの機能を備える携帯端末においては、当然、他のテレビ放送受信機を遠隔制御する機能と、自端末でデジタル放送などの番組を視聴する機能とは、それぞれ別個の機能として独立している。即ち、他のテレビ放送受信機を遠隔制御するためのアプリケーションと、携帯端末でデジタル放送などの番組を視聴するためのアプリケーションとは、何らの関連性も有さずに別個独立に機能するものである。したがって、携帯端末のテレビ番組視聴アプリケーションを起動させて最初に自動で選局される放送局は、必ずしも携帯端末のユーザが所望するテレビ番組を放送している放送局に一致するとは限らない。
【０００６】
そのため、携帯端末のユーザが、自宅のテレビ放送受信機で視聴していたテレビ番組の続きを携帯端末にて視聴しようとする場合には、自宅のテレビ放送受信機で視聴していたテレビ番組の放送局のチャンネル番号などを覚えていなければ、即座に所望の放送局を選局することはできない。チャンネル番号などを覚えていない場合、ユーザは、放送局を適当に切り替えることによって、所望の放送局を探す他ないが、このように携帯端末にて放送局を検索するには多少の手間と時間を要するものである。特にデジタル放送は、ユーザが選局操作を行ってから実際に選局が完了して視聴を開始できるまでに数秒の時間を要するため、放送局の検索にかかる手間および時間は、ユーザにとって相当なストレスになり得るものである。
【０００７】
したがって、かかる事情に鑑みてなされた本発明の目的は、携帯端末のテレビ番組視聴アプリケーションを起動させてデジタル放送の番組を視聴する際に、手間や時間を要することなく所望の放送局を即時かつ自動的に選局できる、使い勝手に優れたデジタル放送受信端末を提供することにある。
【課題を解決するための手段】
【０００８】
上記目的を達成する請求項１に係るデジタル放送受信端末の発明は、
デジタル放送を受信するデジタル放送受信手段と、
外部のデジタル放送受信機器を遠隔制御する遠隔制御手段と、
前記遠隔制御手段で最後に選局された放送局を特定する情報を記憶する放送局情報記憶手段と、
前記デジタル放送の受信を開始する際に、前記放送情報記憶手段に記憶されている情報により特定される放送局と同一の放送局を選局するように前記デジタル放送受信手段を制御する制御手段と、
を具えることを特徴とするものである。
【０００９】
請求項２に係る発明は、請求項１に記載のデジタル放送受信端末において、
少なくとも放送番組の開始時刻、終了時刻、および放送局を特定する情報を含む、デジタル放送の番組情報を記憶する番組情報記憶手段と、
前記遠隔制御手段が前記外部のデジタル放送受信機器に放送の受信を終了するよう指示した時刻、または前記遠隔制御手段による遠隔制御の機能を終了した時刻を記憶する時刻記憶手段と、をさらに有し、
前記制御手段は、前記番組情報を参照して、前記時刻記憶手段に記憶された時刻で特定される、前記放送局情報記憶手段に記憶された放送局の番組の終了時刻を過ぎていた場合、前記デジタル放送の受信開始時に、最後に受信していた番組の放送局を選局するように前記デジタル放送受信手段を制御することを特徴とするものである。
【００１０】
請求項３に係る発明は、請求項１または２に記載のデジタル放送受信端末において、
前記時刻記憶手段は、前記遠隔制御手段が前記外部のデジタル放送受信機器を遠隔制御する機能を終了した第１の時刻と、前記デジタル放送受信手段がデジタル放送を受信する機能を終了した第２の時刻とをさらに記憶し、
前記制御手段は、前記デジタル放送の受信を開始する際に、前記時刻記憶手段に記憶された前記第１の時刻と前記第２の時刻とを比較して、前記第１の時刻の方が現在に近い場合には、前記放送局情報記憶手段に記憶された情報により特定される放送局を選局し、それ以外の場合には、最後に受信していたデジタル放送の番組の放送局を選局するように前記デジタル放送受信手段を制御することを特徴とするものである。
【００１１】
さらに、請求項４に係るデジタル放送受信端末の発明は、
デジタル放送を受信するデジタル放送受信手段と、
外部のデジタル放送受信機器を遠隔制御する遠隔制御手段と、
前記遠隔制御手段で最後に選局された放送局を特定する情報を記憶する放送局情報記憶手段と、
ユーザからの入力を受け付ける入力手段と、
前記デジタル放送を記録する放送記録手段と、を有し、
前記入力手段による入力に基づいて、前記遠隔制御手段が前記外部のデジタル放送受信機器に放送の受信を終了するよう指示した時点、または前記遠隔制御手段による遠隔制御の機能を終了させた時点から、前記放送局情報記憶手段に記憶された情報により特定される放送局を選局して、前記デジタル放送を前記放送記録手段に記録するように前記デジタル放送受信手段および前記放送記録手段を制御する制御手段と、
を具えることを特徴とするものである。
【００１２】
請求項５に係る発明は、請求項４に記載のデジタル放送受信端末において、
前記制御手段は、前記入力手段による入力に基づいて、前記放送記録手段への前記デジタル放送の記録中に前記デジタル放送の再生を開始した場合、前記デジタル放送を前記放送記録手段に記録しつつ、同時に、該放送記録手段に記録済みの前記デジタル放送を再生するように前記デジタル放送受信手段および前記放送記録手段を制御することを特徴とするものである。
【００１３】
請求項６に係る発明は、請求項４または５に記載のデジタル放送受信端末において、
前記制御手段は、前記放送記録手段への前記デジタル放送の記録が開始されてから所定時間後に、当該記録を終了するように前記放送記録手段を制御することを特徴とするものである。
【００１４】
請求項７に係る発明は、請求項４または５に記載のデジタル放送受信端末において、
少なくとも放送番組の開始時刻、終了時刻、および放送局を特定する情報を含む、デジタル放送の番組情報を記憶する番組情報記憶手段と、
前記遠隔制御手段が前記外部のデジタル放送受信機器に放送の受信を終了するよう指示した時刻、または前記遠隔制御手段による遠隔制御の機能を終了した時刻を記憶する時刻記憶手段と、をさらに有し、
前記制御手段は、前記番組情報を参照して、前記時刻記憶手段に記憶された時刻で特定される、前記放送局情報記憶手段に記憶された放送局の番組の終了時刻に、当該デジタル放送の記録を終了するように前記放送記録手段を制御することを特徴とするものである。
【発明の効果】
【００１５】
本発明によれば、遠隔制御により最後に選局した放送局を記憶して、携帯端末でデジタル放送の受信を開始する際に、記憶されている放送局と同一の放送局を選局するようにしたので、デジタル放送の受信開始前にユーザが携帯端末で他のテレビ受信機を遠隔制御して最後に選局していた放送局を、携帯端末のテレビ視聴機能の開始時に自動的に選局することができるため、ユーザは、手間や時間を要することなく所望の放送局を即時かつ自動的に選局することができる。
【発明を実施するための最良の形態】
【００１６】
以下、本発明の実施の形態について、図を参照して説明する。
【００１７】
（第１実施の形態）
図１は、本発明の第１実施の形態にかかる、携帯用のデジタル放送受信端末１００の要部の概略構成を示すブロック図である。
【００１８】
本発明の第１実施の形態にかかるデジタル放送受信端末１００は、ワンセグ放送受信用のアンテナ部を経て地上デジタル放送を受信する放送受信手段１１と、赤外線などの近距離無線通信を利用して外部のテレビ放送受信機を遠隔制御するための通信を行う遠隔制御手段１２と、電子番組表（ＥＰＧ：Electronic Program Guide）を取得する電子番組表取得手段１３と、後述する各情報を記憶する記憶手段１５と、操作キー部などを備えてユーザの入力を受け付ける入力手段１６と、遠隔制御手段１２による遠隔制御を行うための画面（以下、リモコン画面という）およびデジタル放送を視聴するための画面（以下、放送視聴画面という）を表示する表示手段１７と、各事象の発生時刻や所定の時間などを計測する計時手段１８と、全体の動作を制御する制御手段１９と、を備えている。
【００１９】
デジタル放送受信端末１００は、遠隔制御手段１２により、図示しない外部のテレビ放送受信機に対して遠隔制御を行う。具体的には、デジタル放送受信端末１００にて遠隔制御アプリケーションを起動すると、制御手段１９は、表示手段１７にテレビ放送受信機の遠隔制御専用端末（リモートコントローラ）を想起させる画面を表示させ、入力手段１６によりユーザからの入力を受け付けるように制御する。入力手段１６を介してユーザからの入力を検出すると、制御手段１９は、その入力に対応する遠隔制御信号を、図示しない赤外線通信部などを経て、図示しない外部のテレビ放送受信機に対して出力するように遠隔制御手段１２を制御する。このようにすることで、図示しない外部のテレビ放送受信機が遠隔制御対応型であれば、当該外部のテレビ放送受信機は、遠隔制御手段１２からの信号を受信することにより、この信号に対応する処理を行い、例えば、放送局の選局、音量のアップ／ダウン、テレビ放送受信機本体の電源のオン／オフなどを行うことができる。デジタル放送受信端末１００のような携帯端末を用いて外部のテレビ放送受信機を遠隔制御する技術そのものは公知であるため、ここでは詳細な説明は省略する。
【００２０】
一方、デジタル放送受信端末１００は、放送受信手段１１により、自端末上で、デジタル放送の受信を行うことができ、これによりユーザは放送される番組の視聴、即ち、テレビ視聴機能を実行することができる。具体的には、デジタル放送受信端末１００にて入力手段１６を介したユーザ入力に基づきテレビ視聴アプリケーションを起動すると、制御手段１９は、デジタル放送受信用のアンテナ部を経て地上デジタル放送の電波を受信するよう放送受信手段１１を制御し、さらに受信したデジタル放送の映像を表示手段１７に表示し、音声はスピーカ（図示せず）などを経て出力するように制御する。なお、受信したデジタル放送の映像および音声は、記憶手段１５に記憶させることで、後から再生して視聴することもできる。デジタル放送受信端末１００のような携帯端末を用いてデジタル放送を視聴および録画／再生する技術そのものも公知であるため、ここでは詳細な説明は省略する。
【００２１】
デジタル放送受信端末１００にてテレビ視聴を行う際には、予めデジタル放送から電子番組表（ＥＰＧ：Electronic Program Guide）を記憶手段１５に記憶させておき、これを電子番組表取得手段１３が取得することにより、電子番組表を参照することができる。ここで、電子番組表情報は、番組配列情報により作成されるもので、この番組配列情報には、放送事業者を識別するネットワークＩＤ（ＮＩＤ）、放送チャンネルを識別するトランスポートストリームＩＤ（ＴＩＤ）、放送チャンネルにおける放送番組の提供セグメントを識別するサービスＩＤ（ＳＩＤ）、放送番組を識別するイベントＩＤ（ＥＩＤ）が含まれている。これらの情報から、各放送局で放送されるそれぞれの番組の開始時刻、終了時刻などの各種情報を取得することができる。
【００２２】
図２は、デジタル放送受信端末１００の記憶手段１５に記憶される情報について説明する図である。
【００２３】
図２に示すように、記憶手段１５には、テレビ視聴情報として、前回のテレビ視聴機能すなわちテレビ視聴アプリケーションを終了した時点で選局されていた放送局（いわゆるラストチャンネル）を特定する情報と、前回のテレビ視聴機能を終了した時刻とを記憶する。また、遠隔制御情報として、他のテレビ放送受信機を遠隔制御する際に、遠隔制御手段１２が出力する遠隔制御信号のうち、選局先の放送局を特定する情報（以下、選局情報という）と、前回の遠隔制御機能を終了した時刻、つまり遠隔制御アプリケーションを終了させた時刻とを記憶する。さらに、電子番組表として、電子番組表取得手段１３を用いて取得した電子番組表のデータも記憶する。なお、放送受信手段１１により受信したデジタル放送をデジタル放送受信端末１００にて録画する場合には、その録画したデジタル放送録画データも、録画情報として、記憶手段１５に記憶する。
【００２４】
以下、図３のフローチャートおよび図４の表示画面例を参照して、本発明の第１実施の形態にかかるデジタル放送受信端末１００を用いて、他のテレビ放送受信機を遠隔制御する際の処理について説明する。なお、本実施の形態のフローチャートでは、説明の明瞭化のため、本実施の形態の処理とは関連性の薄い処理、例えば音量の調節などの処理については説明を省略している。
【００２５】
先ず、図３のステップＳ１０にて、ユーザにより、入力手段１６を介して、遠隔制御手段１２による遠隔操作を行う遠隔制御機能（リモコン機能）の実行が選択されたら、制御手段１９は、遠隔制御アプリケーションを起動して、例えば図４（Ａ）のような、テレビ放送受信機の遠隔制御専用端末（リモートコントローラ）を想起させる画面（リモコン画面）を、表示手段１７に表示させる。
【００２６】
その後、制御手段１９は、ユーザにより、入力手段１６を介して、リモコン画面上で選局操作がされたか否かを判定する（ステップＳ１１）。なお、入力手段１６は、表示手段１７に表示される画面に対応する図示しない操作キー部として、この操作キー部によりユーザの入力を受け付けるようにしても良いし、あるいは表示手段１７の前面に備えたタッチパネルとして、このタッチパネルにユーザが直接触れるような態様で入力を受け付けるようにしても良い。
【００２７】
ステップＳ１１で、放送局の選局操作がされたら、制御手段１９は、その選局操作に対応する遠隔制御信号を赤外線などの近距離無線通信を介して外部のテレビ受信機に送信するよう遠隔制御手段１２を制御し（ステップＳ１２）、さらに、遠隔制御手段１２により出力した遠隔制御信号に含まれる選局先の放送局を特定する情報（選局情報）を、記憶手段１５に記憶する（ステップＳ１３）。
【００２８】
例えば、図４（Ａ）に示すように、ユーザが、放送局Ｘを特定するチャンネル番号「７」を入力すると、遠隔制御手段１２によりチャンネル番号「７」に対応する放送局を選局するよう指示する遠隔制御信号を送信し、デジタル放送受信端末１００によって遠隔制御される他のテレビ放送受信機（図示せず）は、遠隔制御手段１２からの遠隔制御信号に応答して、７チャンネルに対応する放送局Ｘを選局するように自機の放送受信手段（図示せず）を制御する。この時、制御手段１９は、遠隔制御機能におけるチャンネル番号「７」に対応する放送局に関する情報を選局情報として記憶するように、記憶手段１５を制御する。
【００２９】
その後、ステップＳ１１に戻って、入力手段１６からの新たな入力にそなえる。
【００３０】
ステップＳ１１にて放送局の選局操作がされていない場合、次に、ユーザにより、遠隔制御機能を終了させる操作、つまり遠隔制御アプリケーションを終了させる操作が行われたか否かを判定する（ステップＳ１４）。以下、この遠隔制御アプリケーションを終了させる操作のことを「遠隔制御機能終了操作１」と称する。
【００３１】
遠隔制御機能終了操作１も行われていない場合には、ステップＳ１１に移行して入力手段１６からの新たな入力にそなえる。
【００３２】
ステップＳ１４にて、遠隔制御機能終了操作１が行われた場合には、計時手段１８を参照して、当該遠隔制御機能終了操作１が行われた時刻を、既に記憶済みの選局情報と共に記憶手段１５に記憶し（ステップＳ１５）、次いで遠隔制御アプリケーションを終了して（ステップＳ１６）、遠隔制御機能は終了する。なお、遠隔制御機能は終了しても、記憶手段１５には、最後の選局操作に基づく選局情報と、遠隔制御機能終了操作１が行われた時刻の情報とが、遠隔制御情報として保持される。
【００３３】
次に、図４の表示画面例および図５のフローチャートを参照して、本発明の第１実施の形態にかかるデジタル放送受信端末１００でテレビ放送を視聴する際の処理について説明する。
【００３４】
先ず、図５のステップＳ２０にて、ユーザにより、入力手段１６を介してテレビ視聴機能の実行が選択されると、制御手段１９は、テレビ視聴アプリケーションを起動する。
【００３５】
次に、制御手段１９は、記憶手段１５を参照して、遠隔制御情報として記憶されている遠隔制御機能終了操作１が最後に行われた時刻と、テレビ視聴情報として記憶されている、テレビ視聴機能により前回のテレビ視聴を終了した時刻、つまりテレビ視聴アプリケーションを最後に終了させた時刻とを取得して（ステップＳ２１）、両時刻の先後を比較する（ステップＳ２２）。
【００３６】
その結果、遠隔制御機能終了操作１を最後に行った時刻の方が先の場合、つまりテレビ視聴アプリケーション（テレビ視聴機能）を最後に終了した時刻の方がより現在に近い場合には、制御手段１９は、記憶手段１５を参照して、テレビ視聴情報として記憶されている前回のテレビ視聴機能を終了したときの放送局を取得して、当該放送局を選局するよう放送受信手段１１を制御して（ステップＳ２３）、デジタル放送の受信を開始する（ステップＳ２７）。これにより、テレビ視聴機能が開始される際には、前回テレビ視聴機能を終了させた時の放送局が自動で選局される。例えば、前回テレビ視聴機能を終了させた際に、９チャンネルの放送局Ｙのテレビ番組を視聴していた場合、図４（Ｂ）に示すように、テレビ視聴アプリケーションの起動時に、９チャンネルの放送局Ｙで放送される番組が表示手段１７に表示される。
【００３７】
ステップＳ２２にて、遠隔制御機能終了操作１を最後に行った時刻の方が後である場合、つまり、遠隔制御アプリケーションを終了した時刻の方がより現在に近い場合には、制御手段１９は、記憶手段１５に記憶されている電子番組表データを取得するよう電子番組表取得手段１３を制御して（ステップＳ２４）、取得した電子番組表データを参照することにより、記憶手段１５に記憶された選局情報に基づく放送局で、遠隔制御機能終了操作１が行われた時刻に放送されていた番組が現在も継続して放送されているか否かを判定する（ステップＳ２５）。この結果、既に番組が終了している場合には、ステップＳ２３に移行して、前回のテレビ視聴機能を終了したときの放送局を取得して、デジタル放送の受信を開始する。
【００３８】
ステップＳ２５にて、記憶手段１５に記憶された選局情報に基づく放送局で、遠隔制御機能終了操作１が行われた時刻に放送されていた番組が現在も継続して放送されていると判定された場合には、制御手段１９は、記憶手段１５に遠隔制御情報として記憶している選局情報に基づき特定される放送局を選局するよう放送受信手段１１を制御して（ステップＳ２６）、デジタル放送の受信を開始する（ステップＳ２７）。
【００３９】
即ち、例えば、図４（Ａ）に示すように、ユーザが、デジタル放送受信端末１００のリモコン機能を用いて外部のテレビのチャンネルを放送局Ｘ（７チャンネル）に合わせて視聴し、その後、デジタル放送受信端末１００のリモコン機能を終了した場合、次に、ユーザが、デジタル放送受信端末１００のテレビ視聴機能を立ち上げた際には、テレビ視聴機能は、ラストチャンネルとして記憶されている放送局（例えば、図４（Ｂ）の放送局Ｙ（９チャンネル））ではなく、直前のリモコン機能により選択された放送局Ｘを選局して起動する。
【００４０】
このようにすることで、デジタル放送受信端末１００は、テレビ視聴アプリケーションの起動時に、リモコン機能により外部のテレビで最後に選局された放送局を選局するので、例えばユーザが自宅等にある据置型テレビをデジタル放送受信端末１００のリモコン機能により操作して視聴しており、外出等のため据置型テレビの視聴を終了し（デジタル放送受信端末１００のリモコン機能を終了し）、外出先にてデジタル放送受信端末１００のテレビ視聴機能を立ち上げた場合に、テレビ視聴機能が自宅の据置型テレビで視聴していた放送局を自動的に選択して起動するため、ユーザは、自宅の据置型テレビで視聴していた番組を引き続きデジタル放送受信端末１００にて視聴することができる。
【００４１】
また、デジタル放送受信端末１００は、テレビ視聴機能とリモコン機能のうち、より最近に使用された機能に応じて、テレビ視聴アプリケーションの起動時に選局する放送局を、リモコン機能により外部のテレビで最後に選局された放送局にするか、テレビ視聴機能のラストチャンネルに該当する放送局にするかを決定するので、より的確にユーザの要望に沿う放送局を選局してテレビ視聴アプリケーションを立ち上げることができる。
【００４２】
なお、遠隔制御機能の使用の方がテレビ視聴機能の使用よりも後で、かつ遠隔制御機能を終了させた際の放送局で放送していたテレビ番組がまだ継続している上記のような場合、すなわちステップＳ２５からステップＳ２６に進む際に、例えば図４（Ｄ）のような確認画面を表示手段１７に表示させて、他のテレビ放送受信機を遠隔制御した際に最後に選局した放送局を引き継ぐかどうかの選択をユーザに決定させるような設定にすることもできる。この場合に、引き継ぐ決定をユーザが行った場合にはステップＳ２６に進み、引き継がない決定をした場合にはステップＳ２３に移行するようにする。このようにすれば、ユーザの一層細かいニーズに対応することができる。
【００４３】
また、上述の第１実施の形態では、「遠隔制御機能終了操作１」とは、遠隔制御アプリケーションを終了させて遠隔制御機能を終了する操作を行う操作として説明したが、所望に応じて、この操作を「外部のデジタル放送受信機器に放送の受信を終了するように遠隔制御手段１２を制御する」操作や、あるいは「他のデジタル放送受信機器の電源をオフにするように遠隔制御手段１２を制御する」操作にして、上記と同様の効果を得られるようにしてもよい。このような場合には、それぞれの場合の操作が行われた時点で選局されていた放送局を引き継ぐようにしても良い。
【００４４】
（第２実施の形態）
次に、本発明の第２実施の形態について、図を参照して説明する。
【００４５】
第２実施の形態にかかる、携帯用のデジタル放送受信端末１００は、基本的に第１実施の形態とほぼ同様の構成を有するもので、制御手段１９による制御が異なるものである。
【００４６】
以下、図６のフローチャートおよび図７の表示画面例を参照して、本発明の第２実施の形態にかかるデジタル放送受信端末１００を用いて他のテレビ放送受信機を遠隔制御する際の処理について説明する。なお、本実施の形態のフローチャートでも、説明の明瞭化のため、本実施の形態の処理とは関連性の薄い処理、例えば音量の調節などの処理については説明を省略する。
【００４７】
先ず、図６のステップＳ１００にて、入力手段１６を介して、ユーザの操作により遠隔制御機能が選択されたら、制御手段１９は、遠隔制御アプリケーションを起動して、例えば図７（Ａ）のような、テレビ放送受信機の遠隔制御専用端末（リモートコントローラ）を想起させる画面（リモコン画面）を、表示手段１７に表示させる。第１実施の形態とは異なる部分として、表示手段１７に表示される画面には、他のテレビ受信機の電源をオフにするキーの他に、「電源ＯＦＦ＋ＴＶリモコン終了＋録画開始」のキーを表示する。
【００４８】
その後、制御手段１９は、入力手段１６を介して、ユーザによりリモコン画面上で選局操作がされたか否かを判定する（ステップＳ１０１）。この選局操作に際して、入力手段１６を、操作キー部としても、タッチパネルとしても良いことは、第１実施の形態と同様である。
【００４９】
ステップＳ１０１で放送局の選局操作がされたら、制御手段１９は、その選局操作に対応する遠隔制御信号を外部のテレビ受信機に送信するように遠隔制御手段１２を制御し（ステップＳ１０２）、さらに、遠隔制御手段１２により出力した遠隔制御信号に含まれる選局先の放送局を特定する情報（選局情報）を、遠隔制御情報として記憶手段１５に記憶する（ステップＳ１０３）。
【００５０】
例えば、図７（Ａ）に示すように、ユーザが、放送局Ｘを特定するチャンネル番号「７」を入力すると、遠隔制御手段１２によりチャンネル番号「７」に対応する放送局を選局するよう指示する遠隔制御信号を送信し、デジタル放送受信端末１００によって遠隔制御される他のテレビ放送受信機（図示せず）は、遠隔制御手段１２からの遠隔制御信号に応答して、７チャンネルに対応する放送局Ｘを選局するように自機の放送受信手段（図示せず）を制御する。この時、制御手段１９は、遠隔制御機能におけるチャンネル番号「７」に対応する放送局に関する情報を選局情報として記憶するように、記憶手段１５を制御する。
【００５１】
その後、ステップＳ１０１に戻って、入力手段１６からの新たな入力にそなえる。
【００５２】
ステップＳ１０１にて放送局の選局操作がされていない場合、次に、入力手段１６を介して、ユーザにより、上述の「電源ＯＦＦ＋ＴＶリモコン終了＋録画開始」キーが押下されたか否かを判定する（ステップＳ１０４）。このキーを押下することにより、「電源ＯＦＦ」すなわち他のテレビ受信機の電源をオフにすること、「ＴＶリモコン終了」すなわち遠隔制御機能を終了すること、「録画開始」すなわちテレビ放送機能で受信される放送をバックグラウンドで録画すること、の処理がまとめて開始される。以下、これら３つの処理をまとめて開始するための「電源ＯＦＦ＋ＴＶリモコン終了＋録画開始」キーを押下する操作のことを「遠隔制御機能終了操作２」と称する。
【００５３】
ステップＳ１０４にて、遠隔制御機能終了操作２が検出されたら、制御手段１９は、他のテレビ放送受信機の電源をオフにする遠隔制御信号を出力するように遠隔制御手段１２を制御すると共に、デジタル放送受信端末１００のテレビ視聴機能により、記憶手段１５に記憶された選局情報に基づく放送局を選局して録画を開始するよう放送受信手段１１および記憶手段１５に指示を出して（ステップＳ１０５）から、遠隔制御アプリケーションを終了する（ステップＳ１０６）。この録画を開始する指示については後述する。
【００５４】
ステップＳ１０４にて、遠隔制御機能終了操作２が行われない場合、制御手段１９は、第１実施の形態で説明した遠隔制御機能終了操作１が行われたか否かを判定する（ステップＳ１０７）。ここで遠隔制御機能終了操作１が行われた、つまり単に遠隔制御アプリケーションを終了させる操作が行われた場合には、ステップＳ１０６に移行して遠隔制御機能を終了し、遠隔制御機能終了操作１が行われない場合には、ステップＳ１０１に戻って入力手段１６からの新たな入力にそなえる。
【００５５】
次に、図７の表示画面例および図８のフローチャートを参照して、本発明の第２実施の形態にかかるデジタル放送受信端末１００における番組の録画および再生処理について説明する。
【００５６】
先ず、図８のステップＳ１２０において、遠隔制御アプリケーションの遠隔制御機能終了操作２が行われると、制御手段１９は、デジタル放送受信端末１００のテレビ放送視聴アプリケーションをバックグラウンドで起動させる（ステップＳ１２１）。
【００５７】
次に、制御手段１９は、記憶手段１５に記憶されている電子番組表データを取得するよう電子番組表取得手段１３を制御して、取得した電子番組表データを参照することにより、記憶手段１５に記憶された選局情報に基づく放送局で、記憶手段１５に記憶された前回の遠隔制御機能終了時刻に放送されていた番組が終了する時刻を取得する（ステップＳ１２２）。また、制御手段１９は、記憶手段１５に記憶された選局情報に基づき特定される放送局を選局するように放送受信手段１１を制御する（ステップＳ１２３）。さらに、制御手段１９は、選局した放送局で放送されている番組の録画を開始するように放送受信手段１１および記憶手段１５を制御する（ステップＳ１２４）。なお、ステップＳ１２２で取得した番組の終了時刻に基づいて、番組の終了まで録画を行う。これら一連の選局および録画の処理はバックグラウンドで行い、録画されたデジタル放送録画データは、録画情報として記憶手段１５に記憶する。
【００５８】
次のステップＳ１２５では、ステップＳ１２４で開始された録画の継続中に、ユーザにより、入力手段１６を介してテレビ視聴機能の実行を選択する操作が行われたか否かを判定する。ステップＳ１２４で開始された録画の継続中にテレビ視聴機能の実行が選択された場合、制御手段１９は、テレビ視聴アプリケーションをフォアグラウンドに移行して（ステップＳ１２６）テレビの視聴ができる状態にし、記憶手段１５に録画情報として記録済みであるデジタル放送録画データを用いて、タイムシフト再生（追っかけ再生）を行うようにする（ステップＳ１２７）。このようにすることで、ユーザは、例えば図７（Ｃ）に示すように、他のテレビ放送受信機で見ていた番組の、そのテレビ放送受信機の電源をオフにした瞬間からの続きを、まだその番組の録画が終了する前であっても、好きな時に視聴することができる。なお、番組の録画中は、他の放送局を直接選局できないようにして、ユーザが他の放送局を選局しようとする場合には、録画を中断するか否かの確認を行うような設定にするのが望ましい。
【００５９】
ステップＳ１２５にてテレビ放送の視聴が開始されない場合は、録画している番組の終了時刻になるか、あるいはユーザにより録画を終了する操作が行われるまで録画を続行する（ステップＳ１２８およびステップＳ１２９）。ステップＳ１２２で取得した番組の終了時刻になった場合、またはユーザにより録画を終了する操作が行われた場合には、制御手段１９は、当該番組の録画を終了するように放送受信手段１１および記憶手段１５を制御する。
【００６０】
その後、ステップＳ１３０にて、ユーザにより、入力手段１６を介してテレビ視聴機能の実行を選択する操作が行われたか否かを判定する。このときには既に番組の録画は終了しているため、テレビ視聴機能が実行された際には、表示手段１７上に、例えば図７（Ｄ）に示すような、既に録画が終了している番組がある旨を表示して、当該録画済みの番組を再生するかどうか、ユーザに決定を促すようにする。録画した番組の再生が選択された場合には、記憶手段１５に録画情報として記録済みであるデジタル放送録画データを再生する。それ以外の場合には、記憶手段１５に記憶された選局情報に基づき特定される放送局を選局してデジタル放送の受信を開始する。
【００６１】
このようにすることで、例えば自宅などにある他のテレビ放送受信機（例えば、据置型テレビ）をデジタル放送受信端末１００のリモコン機能により遠隔制御して、ある番組を視聴していた際に、突然外出を余儀なくされた時でも、ワンタッチで遠隔制御機能終了操作２を行うことにより、他のテレビ放送受信機の受信の終了と共にデジタル放送受信端末１００ではその番組の録画を開始するため、ユーザはその後、他のテレビ受信機にて視聴を中断した番組を、その続きから好きなときに視聴することができ、結果として視聴中の番組を途切れることなく視聴することができる。
【００６２】
なお、上記第２実施の形態では、「遠隔制御機能終了操作２」として、「電源ＯＦＦ＋ＴＶリモコン終了＋録画開始」キーを押下することで、これら３つの処理をまとめて行うことについて説明したが、所望に応じて、「（外部テレビの）電源ＯＦＦ＋（携帯端末の）録画開始」または「ＴＶリモコン終了＋録画開始」等のキーを表示させて、これら２つの処理をまとめて開始するためのキーを押下する操作のことを「遠隔制御機能終了操作２」とすることもできる。
【００６３】
また、上記第２実施の形態では、「電源ＯＦＦ」の処理を「他のテレビ受信機の電源をオフにするように遠隔制御手段１２を制御する」処理として説明しているが、所望に応じて、「電源ＯＦＦ」の処理を「外部のデジタル放送受信機器に放送の受信を終了するよう遠隔制御手段を制御する」処理として上記と同様の効果を得られるようにしてもよい。
【００６４】
さらに、上記第２実施の形態では、録画終了のタイミングを、番組終了時、またはユーザにより録画終了の操作が行われた時点としたが、予め設定した所定時間が経過した時点で録画が終了するようにしても良い。このようにすれば、不必要に長時間の録画が行われることはなくなる。
【００６５】
本発明は、上述した実施の形態にのみ限定されるものではなく、幾多の変更または変形が可能である。例えば、上述の第１および第２実施の形態では、デジタル放送受信端末１００を携帯端末として説明したが、一般的な携帯電話にこのような機能を搭載させて、携帯電話にて本発明の効果が得られるような構成にすることもできる。
【００６６】
また、上記第１および第２実施の形態では、デジタル放送として、映像および音声ならびにデータ放送による、いわゆるワンセグ放送を例にして説明したが、このデジタル放送が音声のみの場合や、文字情報のみの場合のデジタル放送にも適用できることは明らかである。
【００６７】
さらに、上記の各実施の形態において、デジタル放送受信端末１００の端末本体の側部に専用のキーを設けて、この専用のキーにより、外部のテレビ受信機の電源をオフにしたり、外部のテレビ放送の受信を終了させたり、端末の遠隔制御の機能を終了させたり、あるいは前記３つの機能の任意の２つ以上の組合せが実行されるような構成にすれば、使い勝手が非常に良く、急いでいるときなどでも、迅速かつ確実に本発明の効果を得ることができる。
【図面の簡単な説明】
【００６８】
【図１】第１実施の形態のデジタル放送受信端末１００の概略構成を示すブロック図である。
【図２】デジタル放送受信端末１００の記憶手段１５に記憶される情報を説明する図である。
【図３】第１実施の形態の処理を説明するフローチャートである。
【図４】第１実施の形態の表示画面の例を示す図である。
【図５】同じく、第１実施の形態の処理を説明するフローチャートである。
【図６】第２実施の形態の処理を説明するフローチャートである。
【図７】第２実施の形態の表示画面の例を示す図である。
【図８】同じく、第２実施の形態の処理を説明するフローチャートである。
【符号の説明】
【００６９】
１１  放送受信手段
１２  遠隔制御手段
１３  電子番組表取得手段
１５  記憶手段
１６  入力手段
１７  表示手段
１８  計時手段
１９  制御手段
１００  携帯端末
【図１】
2008252371.tif 000003
【図２】
2008252371.tif 000004
【図３】
2008252371.tif 000005
【図４】
2008252371.tif 000006
【図５】
2008252371.tif 000007
【図６】
2008252371.tif 000008
【図７】
2008252371.tif 000009
【図８】
2008252371.tif 000010